【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
人の食事療法を栄養関連目標と整合させるためのシステムであって、前記システムは、
（１）前記人に関する栄養関連目標と、（２）定義された期間中に前記人によって以前に消費された栄養素の量を含む前記人に関する複数の栄養素の各々の量を表す第１の栄養プロファイルとを受信するように構成されている通信ポートと、
少なくとも１つのコンピュータプロセッサであって、前記少なくとも１つのコンピュータプロセッサは、
（ａ）前記栄養関連目標に基づいて、前記複数の栄養素の各々についての標的レベルを含む標的栄養プロファイルを生成することと、
（ｂ）前記複数の栄養素の各々に関する逸脱を、前記人によって消費された前記複数の栄養素の各々の量を前記栄養素についての前記標的レベルと比較することによって、算出することと、
（ｃ）各栄養素について、関連付けられた数値加重を前記栄養素に関する個別の逸脱に適用することによって、前記第１の栄養プロファイルと前記標的栄養プロファイルとの間の総合的整合を表す第１の栄養指数を算出することと、
（ｄ）各候補栄養素についての合計された量を得るために、複数の候補栄養素の各々について、前記プロセッサにおいて受信された候補食品における個別の候補栄養素の量および前記第１の栄養プロファイルにおける対応する栄養素の量を加算することによって、第２の栄養プロファイルを生成することであって、各候補栄養素は、前記人によって消費された前記複数の栄養素のうちの１つに対応する、ことと、
（ｅ）ステップ（ｄ）における前記第２の栄養プロファイルとステップ（ａ）における前記標的栄養プロファイルとの間の総合的整合を表す第２の栄養指数を、
（ｆ）前記候補栄養素の各々に関する逸脱を、ステップ（ｄ）における個別の候補栄養素の合計された量を前記栄養素についての前記標的レベルと比較することによって、および、各候補栄養素について前記関連付けられた数値加重を前記候補栄養素に関する個別の逸脱に適用することによって、算出することによって、算出することと、
（ｇ）ステップ（ｃ）における前記第１の栄養指数をステップ（ｆ）における前記第２の栄養指数と比較することであって、前記第２の栄養プロファイルにおける前記候補食品を考慮することは、前記複数の候補栄養素のうちの少なくとも１つの整合を改善する、ことと、
（ｈ）前記第２の栄養指数が前記第１の栄養指数よりも標的指数に近い場合に推奨のために前記候補食品を選択することと
を行うように構成されている、少なくとも１つのコンピュータプロセッサと、
ユーザインターフェース上での表示のために、前記第１の栄養指数と、前記候補食品が推奨されるかを示すための前記候補食品の指数影響とを生成するように構成されている出力ポートと
を備える、システム。
【請求項２】
前記複数の候補栄養素のうちの少なくとも１つの整合を改善することは、第２の候補栄養素の逸脱を増加させる一方で第１の候補栄養素の逸脱を減少させることを含む、請求項１に記載のシステム。
【請求項３】
前記複数の栄養素の各々について、および、前記候補栄養素の各々について、個別の栄養素の消費された量が当該個別の栄養素についての前記標的レベルを下回る場合に当該個別の栄養素の逸脱が不足逸脱である、請求項２に記載のシステム。
【請求項４】
前記複数の栄養素の各々について、および、前記候補栄養素の各々について、個別の栄養素の消費された量が当該個別の栄養素についての前記標的レベルを上回る場合に当該個別の栄養素の逸脱が超過逸脱である、請求項２に記載のシステム。
【請求項５】
前記関連付けられた数値加重は、第１の数値加重または第２の数値加重のうちの１つを含む、請求項２に記載のシステム。
【請求項６】
個別の栄養素の不足逸脱が存在する場合に前記第１の数値加重が前記個別の栄養素に関連付けられる、請求項５に記載のシステム。
【請求項７】
個別の栄養素の超過逸脱が存在する場合に前記第２の数値加重が前記個別の栄養素に関連付けられる、請求項６に記載のシステム。
【請求項８】
前記第１の候補栄養素の逸脱に割り当てられた前記関連付けられた数値加重は、前記第２の候補栄養素の逸脱に割り当てられた前記関連付けられた数値加重よりも大きい、請求項５に記載のシステム。
【請求項９】
前記複数の候補栄養素のうちの少なくとも１つの整合を改善することの結果として、前記第１の候補栄養素の加重逸脱は、前記第２の候補栄養素の加重逸脱が増加するのと比較してより多く減少する、請求項８に記載のシステム。
【請求項１０】
前記プロセッサは、前記複数の栄養素の各々に関する逸脱および前記候補栄養素の各々に関する逸脱のうちの少なくとも１つを、個別の栄養素の消費された量および前記個別の栄養素の前記標的レベルの差異、比率、標準偏差、および統計的相違のうちの少なくとも１つを計算することによって、算出するように構成されている、請求項１に記載のシステム。
【請求項１１】
前記プロセッサは、前記複数の栄養素の各々に関する逸脱および前記候補栄養素の各々に関する逸脱のうちの少なくとも１つを、個別の栄養素の消費された量および前記個別の栄養素の前記標的レベルの間のパターン比較、パターン認識、および相関アプローチのうちの少なくとも１つを実行することによって、算出するように構成されている、請求項１に記載のシステム。
【請求項１２】
前記プロセッサは、前記複数の栄養素の各々に関する逸脱および前記候補栄養素の各々に関する逸脱のうちの少なくとも１つを、個別の栄養素の消費された量および前記個別の栄養素の前記標的レベルの間の回帰ベースまたは系統適合アプローチのうちの少なくとも１つを実行することによって、算出するように構成されている、請求項１に記載のシステム。
【請求項１３】
前記プロセッサは、前記複数の栄養素の各々に関する逸脱および前記候補栄養素の各々に関する逸脱のうちの少なくとも１つを、個別の栄養素の消費された量および前記個別の栄養素の前記標的レベルの間の誤差推定法を利用することによって、算出するように構成されている、請求項１に記載のシステム。
【請求項１４】
前記通信ポートは、前記人によって以前に消費された複数の消費された食事を表すデータを受信するようにさらに構成されており、各消費された食事は、前記消費された食事に含まれている複数の食品の各々についての特定の部分を含む、請求項１に記載のシステム。
【請求項１５】
前記コンピュータプロセッサは、前記複数の消費された食事を表す前記データを消費された食事データベースに記憶させるようにさらに構成されている、請求項１４に記載のシステム。
【請求項１６】
前記コンピュータプロセッサは、前記総合的整合によって少なくとも部分的に定義された最適化目的関数に基づいて前記消費された食事データベースに記憶されている消費された食事を最適化するようにさらに構成されている、請求項１５に記載のシステム。
【請求項１７】
前記コンピュータプロセッサは、前記最適化された消費された食事についての栄養影響を算出するようにさらに構成されており、前記栄養影響は、前記最適化された消費された食事が前記人によって消費された場合の前記総合的整合における定量化された変化を示す、請求項１６に記載のシステム。
【請求項１８】
前記コンピュータプロセッサは、閾値に等しいまたは閾値よりも大きい栄養影響を有する複数の最適化された消費された食事を識別することと、前記人についての前記総合的整合を最大限にする栄養影響を有する最適化された消費された食事を推奨することとを実行するようにさらに構成されている、請求項１７に記載のシステム。
【請求項１９】
前記コンピュータプロセッサは、既知の食品データベースと通信するようにさらに構成されており、前記既知の食品データベースは、複数の既知の食品と、前記既知の食品の各々についての規定された栄養含有量とを含んでいる、請求項１８に記載のシステム。
【請求項２０】
前記コンピュータプロセッサは、いずれの最適化された消費された食事も前記閾値に等しいまたは前記閾値よりも大きい栄養影響を有していないときに前記人によって以前に消費されていない新しい候補食品について前記既知の食品データベースを解析するように構成されている、請求項１９に記載のシステム。
【請求項２１】
前記コンピュータプロセッサは、前記既知の食品データベースから、前記閾値に等しいまたは前記閾値よりも大きい栄養影響を有する新しい食事を識別することと、この新しい食事を前記人に推奨することとを実行するようにさらに構成されている、請求項２０に記載のシステム。
【請求項２２】
前記コンピュータプロセッサは、前記新しい食事を含めるように前記消費された食事データベースを更新するようにさらに構成されている、請求項２１に記載のシステム。
【請求項２３】
前記標的レベルは、下限および上限標的を含む、請求項１に記載のシステム。
【請求項２４】
ステップ（ｂ）において、前記複数の栄養素の各々の前記人によって消費された量を前記標的レベルと比較することは、さらに、
前記消費された量を前記栄養素についての下限標的レベルおよび前記栄養素についての上限標的レベルの両方と比較することを含み、
前記複数の栄養素の各栄養素について、前記栄養素の消費された量が前記栄養素についての下限標的レベルを下回る場合に前記栄養素の逸脱が不足逸脱であり、前記栄養素の消費された量が前記栄養素についての上限標的レベルを上回る場合に前記栄養素の逸脱が超過逸脱であり、
ステップ（ｆ）において、前記候補栄養素の各々に関する逸脱を算出することは、さらに、ステップ（ｄ）における個別の候補栄養素の合計された量を前記栄養素についての前記標的レベルについての下限および上限の両方と比較することを含む、請求項２３に記載のシステム。
【請求項２５】
前記標的指数は、栄養プロファイルと前記標的栄養プロファイルとの間の完全な整合を表す、請求項１に記載のシステム。
【請求項２６】
前記完全な整合は、前記栄養素の消費された量と対応する標的レベルとの間の最小逸脱を表す、請求項２５に記載のシステム。
【請求項２７】
前記候補食品が閾値に等しいまたは閾値よりも大きい前記第１の栄養指数に及ぼす指数影響を有するときに、前記候補食品が推奨される、請求項１に記載のシステム。
【請求項２８】
前記通信ポートは、前記複数の候補栄養素のうちの１つの選択を前記ユーザインターフェースのユーザから受信するように構成されており、前記１つまたは複数のコンピュータプロセッサは、前記選択の受信に応答して、前記ユーザインターフェース上での表示のために、前記選択された候補栄養素の量を含む複数の関連食品を選択するように構成されている、請求項１に記載のシステム。
【請求項２９】
前記人によって以前に消費されていない前記複数の新しい食品における各新しい食品は、前記選択された候補栄養素の少なくとも閾値量を含み、
前記ユーザインターフェースは、各新しい食品における前記選択された標的栄養素の量によって少なくとも部分的に決定される順序で前記複数の新しい食品を表示するように構成されている、請求項２０に記載のシステム。
【請求項３０】
前記少なくとも１つのコンピュータプロセッサは、数字、アルファベットグレード、前記栄養指数の範囲を示す色勾配から選択された色、またはグラフィカルアイコンとして前記栄養指数を提供するように構成されている、請求項１に記載のシステム。
【請求項３１】
前記第１および第２の数値加重は、前記人にとっての個別の標的栄養素の他の標的栄養素に対する重要性を示す、請求項１に記載のシステム。
【請求項３２】
前記第１および第２の数値加重は、第２の栄養素と比べた第１の栄養素の相対的重要性を示す、請求項１に記載のシステム。
【請求項３３】
前記逸脱は、パーセンテージベースの逸脱である、請求項１に記載のシステム。
【請求項３４】
前記指数影響は、前記第１の栄養指数と前記第２の栄養指数との間の差異である、請求項１に記載のシステム。